(57)【要約】【課題】人が外デッキに上がることを検出して、警告を行なうことができる乗客コンベアを提供する。【解決手段】左右一対の欄干３６，３６の外側に沿って設けられた外デッキ６０の両面パネル６６の内側に荷重センサ７４を設け、この荷重センサ７４によって検出した検出パターンが予め定めた荷重パターンと一致したときに、エスカレータ１０を停止させる制御装置５０を有する。【選択図】      図３
2014210643.tif 000002
【特許請求の範囲】
【請求項１】
左右一対の欄干と、
前記欄干の外側に沿って設けられた外デッキと、
前記外デッキに加わった荷重を検出する荷重検出装置と、
前記荷重検出装置が検出した荷重が、予め定めた荷重パターンと一致したときに予め定めた警告を行う制御装置と、
を有する乗客コンベア。
【請求項２】
前記荷重検出装置は、
荷重センサと、
前記外デッキの内側に設けられ、前記荷重センサに前記荷重を伝達する荷重伝達部材と、
を有する請求項１に記載の乗客コンベア。
【請求項３】
前記荷重センサは前記荷重の大きさ、前記荷重が加わる継続時間、又は、前記荷重が加わる時間間隔を検出し、前記検出した荷重が前記荷重パターンと一致するときに警告信号を前記制御装置に出力する荷重センサ制御部を有し、
前記制御装置は、前記警告信号が入力すると前記警告を行う、
請求項２に記載の乗客コンベア。
【請求項４】
前記制御装置は、
前記警告後に前記荷重センサが前記荷重を継続して検出した場合に、前記乗客コンベアの停止、又は、前記駆動速度を落とす、
請求項３に記載の乗客コンベア。
【請求項５】
前記乗客コンベアがエスカレータであり、
前記荷重検出装置は、前記外デッキの下階勾配変化部及び勾配部にそれぞれ設ける、
請求項１乃至４のいずれか一項に記載の乗客コンベア。
【請求項６】
前記荷重検出装置は、前記外デッキに複数取り付け、前記警告信号と共に前記荷重センサの取り付け位置に対応した位置信号も同時に出力し、
前記制御手段は、前記位置信号に対応した警告を行う、
請求項３又は４に記載の乗客コンベア。
【発明の詳細な説明】
【技術分野】
【０００１】
本発明の実施形態は、エスカレータや動く歩道などの乗客コンベアに関するものである。
【背景技術】
【０００２】
従来、階間移動用昇降機であるエスカレータには、複数種類の安全装置が設置されており、乗客の安全の確保を行なっている。
【０００３】
例えば、乗客がエスカレータの手摺りベルトにもたれ掛かり、身を乗り出して手摺りベルトに過度の負荷が掛かったときには、警告音声やブザーの鳴動を用いた注意喚起や、エスカレータの動作を停止させている。
【０００４】
また、エスカレータの降り口のインレット部分は、踏段及び手摺りベルトが機器内に収納される部分であり、この部分に乗客の衣類及び体の部位が巻き込まれたときには、それを検出してエスカレータを停止させている。
【先行技術文献】
【特許文献】
【０００５】
【特許文献１】特開２０１０−１７３７４３号公報
【発明の概要】
【発明が解決しようとする課題】
【０００６】
しかし、上記のような安全装置はエスカレータの踏段に乗っている乗客を安全に運搬するために設置されたものであり、悪戯などにより踏段の外（外デッキの上面）を登ろうとする者に対しては、安全策にはなっていない。そのため、その安全策としては、進入禁止を示す棚（進入防止棚又は駆け上がり防止棚）を設けていた。
【０００７】
また、昇りエスカレータにおいては手摺りベルトが上方に向けて動作しているため、この手摺りベルトに掴まって外デッキの上面を歩いて登っていく恐れがあった。特に、大型商業施設では、子供の乗客が多いため、予期せぬ行動や事象が発生する確率が大きく、外デッキの上面を子供が昇っていく恐れがあった。
【０００８】
また、１階床部でエスカレータの側面の侵入を防止するためには、侵入防止柵を広範囲に設置しなければならず、現状では大きなコスト増加となる上、厳重な侵入防止柵はエスカレータの景観を損ねているという問題点があった。
【０００９】
そこで、本発明の実施形態は、上記問題点に鑑み、人が外デッキに上がることを検出して、警告を行なうことができる乗客コンベアを提供することを目的とする。
【課題を解決するための手段】
【００１０】
本発明の実施形態は、左右一対の欄干と、前記欄干の外側に沿って設けられた外デッキと、前記外デッキに加わった荷重を検出する荷重検出装置と、前記荷重検出装置が検出した荷重が、予め定めた荷重パターンと一致したときに予め定めた警告を行う制御装置と、を有する乗客コンベアである。
【図面の簡単な説明】
【００１１】
【図１】一実施形態のエスカレータの側面図である。
【図２】エスカレータの斜視図である。
【図３】外デッキの縦断面図である。
【図４】エスカレータのブロック図である。
【図５】荷重検出装置と制御装置のフローチャートである。
【図６】変更例の外デッキの縦断面図である。
【発明を実施するための形態】
【００１２】
以下、一実施形態の乗客コンベアを、エスカレータ１０を例として図１〜図５に基づいて説明する。
【００１３】
（１）エスカレータ１０
エスカレータ１０の構造について、図１に基づいて説明する。図１はエスカレータ１０を側面から見た説明図である。
【００１４】
エスカレータ１０のトラス１２が、建屋１の上階と下階に跨がって支持アングル２，３を介して支持されている。トラス１２の上端部にある上階側の機械室１４内部には、駆動装置１８が設けられている。この駆動装置１８には、モータ２０と、このモータ２０により動作する駆動チェーン２２が連結され、この駆動チェーン２２により駆動スプロケット２４が駆動される。上階側の機械室１４内部には、制御装置５０が設けられている。トラス１２の下端部にある下階側の機械室１６内には、従動スプロケット２６が設けられ、駆動スプロケット２４と従動スプロケット２６との間に踏段チェーン２８が掛け渡され、踏段チェーン２８には複数の踏段３０が等間隔で連結されている。
【００１５】
踏段３０は、その前後に前輪３０ａ及び後輪３０ｂが取り付けられ、これら前輪３０ａ及び後輪３０ｂが、トラス１２内に設けられた不図示の往路ガイドレール、帰路ガイドレール及び反転ガイドレールからなるガイドレールによって案内されることにより、複数の踏段３０は、踏段チェーン２８の移動と連動して循環走行する。
【００１６】
踏段３０が反転する位置の上部が利用者の乗降口であり、乗降口には上階側の乗降板３２、下階側の乗降板３４が設けられている。
【００１７】
トラス１２の左右両側には、左右一対の欄干３６，３６が立設されている。欄干３６の内側面下部には、踏段３０を挟むようにスカートガード４４，４４が設けられている。欄干３６は、欄干パネル３７を有し、その上部には手摺レール３９が設けられ、手摺レール３９を手摺りベルト３８が移動する。欄干３６は、乗客が体を支えるために掴まると同時に、エスカレータ１０の側面への落下を防ぐものである。左右一対の欄干３６，３６の外側には、外デッキ６０，６０がそれぞれ設けられている。また、内デッキ６２が、スカートガード４４の上端部に傾斜した状態で配されている。欄干パネル３７は、内デッキ（内レッジ）６２と外デッキ６０に挟まれた状態で、欄干パネル支持体６４から立設されている。欄干パネル支持体６４は、トラス１２に固定され、外デッキ６０にによって覆われている。
【００１８】
欄干３６の上階側の正面下部を覆う正面スカートガード４０が設けられ、下階側の正面下部には、下階側の正面スカートガード４２が設けられ、正面スカートガード４０，４２の正面から、手摺りベルト３８の出入口であるインレット部４６，４８が突出している。
【００１９】
上階側の正面スカートガード４０には、上階側の操作盤５２が設けられ、この近くのスカートガード４４には、上階側のスピーカ５４が設けられている。下階側の正面スカートガード４２にも下階側の操作盤５６が設けられ、その近くのスカートガード４４には、下階側のスピーカ５８が設けられている。
【００２０】
（２）外デッキ６０
外デッキ６０の構造について図２、図３に基づいて説明する。図２はエスカレータ１０の斜視図であり、図３は外デッキ６０の縦断面図である。
【００２１】
図２に示すように、外デッキ６０は、踏段３０から見て欄干３６の外側に有り、エスカレータ１０の構造部材を覆う装飾品であって、上面パネル６６と側面パネル６８とから構成され、上面パネル６６は、所定の長さを有し、下階側から上階側まで複数枚が側面パネル６８に被せられている（図３参照）。
【００２２】
外デッキ６０の各上面パネル６６の下部には、それぞれ荷重検出装置７０が取り付けられている。荷重検出装置７０は、欄干パネル支持体６４から外側に固定された外パネル支持体７２の上面に荷重センサ７４が設けられ、この荷重センサ７４の両側にコイル状の支持バネ７６，７６が設けられ、この一対の支持バネ７６，７６の上部に板状の荷重伝達部材７８が設けられている。この荷重伝達部材７８の上部に上面パネル６６が載せられている。すなわち、外デッキ６０の上面パネル６６の内側に荷重伝達部材７８が取り付けられている。荷重センサ７４の上端部は、この荷重伝達部材７８に当接され、各上面パネル６６に加わる加重をそれぞれ検出する。荷重センサ７４には、荷重センサ制御部８０が内蔵されている。荷重センサ７４としては、例えば圧力によって電位差を発生する圧電素子を利用する。
【００２３】
（３）エスカレータ１０の電気的構成
次に、エスカレータ１０の電気的構成について図４のブロック図に基づいて説明する。
【００２４】
機械室１４内部に設けられた制御装置５０には、荷重検出装置７０の荷重センサ制御部８０がそれぞれ接続されている。また、この制御装置５０には、上階側のスピーカ５４、下階側のスピーカ５８、駆動装置１８のモータ２０も接続されている。
【００２５】
（４）荷重検出装置７０の動作状態
外デッキ６０の上面パネル６６に荷重が加わるのは、子供が悪戯等で乗ることの他、エスカレータ１０の乗客が欄干３６から荷物を落下させ、これが外デッキ６０の上面パネル６６に落下する場合も考えられる。後者の場合には、乗客に直ちに警告を発する必要はなく、エスカレータ１０の通常運転を行なっても差し支えはない。
【００２６】
そのため、両者を判別するために、荷重センサ制御部８０は、外デッキ６０の上面パネル６６に加わった荷重の大きさ、継続時間、間隔を荷重センサ７４を用いて検出する。例えば、子供が外デッキ６０の上面パネル６６を歩く際は継続して荷重が検出されるが、荷物落下では荷物が外デッキ６０の上面パネル６６にぶつかる大きな荷重が瞬間的に発生し、その後は下階に落下するため荷重は検出されない。この予め定めた荷重パターンを荷重センサ制御部８０に記憶させ、荷重センサ７４で検出した検出パターンを比較し、この荷重パターンに一致するときは制御装置５０に、荷重センサ８０が警告信号を出力する。例えば、荷重パターンの荷重の大きさとしては、２０ｋｇ以上、継続時間として２秒以上、時間間隔としては連続又は１０〜３０秒毎の荷重検出である。
【００２７】
次に、制御装置５０と荷重センサ制御部８０の動作状態について、図５のフローチャートに基づいて説明する。
【００２８】
ステップＳ１において、制御装置５０は、エスカレータ１０を運転中であればステップＳ２に進む。
【００２９】
ステップＳ２において、荷重センサ制御部８０が、外デッキ６０の上面パネル６６に荷重が発生したのを検出すればステップＳ３に進む。
【００３０】
ステップＳ３において、荷重センサ制御部８０が、荷重センサ７４が検出した検出パターンを解析し、荷重の大きさ、継続時間、時間間隔を解析しステップＳ４に進む。
【００３１】
ステップＳ４において、荷重センサ制御部８０が、解析した検出パターンと予め設定した荷重パターンとを比較し、両者が一致していなければ外デッキ６０に人が乗っていないと判断してステップＳ５に進み（Ｎｏの場合）、一致していれば外デッキ６０に人が乗っていると判断しステップＳ６に進む（Ｙｅｓの場合）。
【００３２】
ステップＳ５において、荷重センサ制御部８０は、外デッキ６０に人が乗っていないと判断したため、制御装置５０に警告信号を出力せず、制御装置５０はエスカレータ１０の運転を続け、ステップＳ１に戻る。
【００３３】
ステップＳ６において、荷重センサ制御部８０は、外デッキ６０に人が乗っていると判断したため、制御装置５０に警告信号を出力する。制御装置５０は、警告信号が入力すると、スピーカ５４，５８から外デッキ６０から降りるように注意アナウンスを行い、ステップＳ７に進む。
【００３４】
ステップＳ７において、注意アナウンスを行ってから荷重センサ制御部８０は荷重が所定時間後（例えば、１０〜２０秒後）に解除されたか否かを判断し、荷重が解除された場合には警告信号の出力を停止させてステップＳ８に進み（Ｙｅｓの場合）、荷重が解除されていない場合にはステップＳ９に進む（Ｎｏの場合）。
【００３５】
ステップＳ８において、制御装置５０は警告信号の入力が停止したため、人が外デッキ６０から降りたと判断し、エスカレータ１０の運転を継続し、注意アナウンスを終了し、ステップＳ１に戻る。
【００３６】
ステップＳ９において、荷重センサ制御部８０は荷重が所定時間継続した状態であるため、制御装置５０は、人が外デッキ６０に乗ったままと判断し、モータ２０の回転を停止させ、エスカレータ１０の運転を停止させて終了する。
【００３７】
（５）効果
以上により本実施形態によると、外デッキ６０に加わった荷重を検出し、この荷重が外デッキ６０の上に人が乗っている状態であると判断した場合には、警告アナウンスを行い、さらにその状態が継続するとエスカレータ１０を停止させるため、注意アナウンスによって悪戯を有効に防止でき、また、安全を確保できる。そのため、外デッキ６０の回りや上の柵を簡素化でき、エスカレータ１０の景観を保ちつつ安全性を向上させることができる。
【００３８】
また、荷重伝達部材７８を用いることで、外デッキ６０の上面パネル６６の下面に荷重センサ７４を直接設置する必要が無くなり、設計の自由度の向上を見込むことができる。さらに、支持バネ７６によって外デッキ６０の上面パネル６６を支持し、荷重センサ７４に外デッキ６０の上面パネル６６の重量が恒常的に加わることを防止でき、荷重センサ７４の精度と長期利用性を図ることができる。
【００３９】
（６）変更例１
上記実施形態において、荷重検出装置７０は、エスカレータ１０の外デッキ６０の各上面パネル６６の下面に設置するが、特に下階勾配変化部８２及び勾配部に複数箇所設けることが望ましい。この理由は、下階勾配変化部８２で荷重が検出された際はエスカレータ１０の運転を直ぐに止めるのでなく、注意アナウンスやブザーによる警告にとどめて、さらに高所である勾配部にて荷重が検出され、危険であることを検出したときにエスカレータ１０の運転を制限するなど、警告レベルを段階的に引き上げるためである。この場合には、複数の荷重検出装置７０に、各上面パネル６６の位置に対応した位置信号も警告信号と同時にそれぞれ出力するようにして、制御装置５０は、下階勾配変化部８２近傍の荷重検出装置７０からの警告信号であるか否かを判別する。
【００４０】
（７）変更例２
上記実施形態では、荷重センサ７４として圧電素子を利用したが、これに代えて外デッキ６０の上面パネル６６に荷重が加わったことによって発生する歪みを検出する歪みセンサでもよい。この場合には、図６に示すように、荷重伝達部材７８、支持バネ７６を取り除いて、上面パネル６６の下面に荷重センサ７４を直接設置する。そして、外パネル支持体７２によって上面パネル６６を直接支持する。
【００４１】
（８）変更例３
上記実施形態では、エスカレータ１０で説明したが、これに代えて動く歩道で上記実施形態を適用してもよい。
【００４２】
（９）その他
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４３】
１０・・・エスカレータ、２０・・・モータ、３６・・・欄干、３７・・・欄干パネル、５０・・・制御装置、５４・・・スピーカ、５８・・・スピーカ、６０・・・外デッキ、６２・・・内デッキ、６６・・・上面パネル、７０・・・荷重検出装置、７２・・・外パネル支持体、７４・・・荷重センサ、７６・・・支持バネ、７８・・・荷重伝達部材、８０・・・荷重センサ制御部
【図１】
2014210643.tif 000003
【図２】
2014210643.tif 000004
【図３】
2014210643.tif 000005
【図４】
2014210643.tif 000006
【図５】
2014210643.tif 000007
【図６】
2014210643.tif 000008
【手続補正書】
【提出日】平成26年5月26日(2014.5.26)
【手続補正１】
【補正対象書類名】特許請求の範囲
【補正対象項目名】全文
【補正方法】変更
【補正の内容】
【特許請求の範囲】
【請求項１】
左右一対の欄干と、
前記欄干の外側に沿って設けられた外デッキと、
前記外デッキに加わった荷重を検出する荷重検出装置と、
前記荷重検出装置が検出した荷重が、予め定めた荷重パターンと一致したときに予め定めた警告を行う制御装置と、
を有し、
前記荷重検出装置は、
前記外デッキの内側に設けられた荷重センサと、
前記外デッキの上面パネル下部に設けられ、前記上面パネルに加わる前記荷重を前記荷重センサに伝達する荷重伝達部材と、
を有する乗客コンベア。
【請求項２】
前記荷重センサは前記荷重の大きさ、前記荷重が加わる継続時間、又は、前記荷重が加わる時間間隔を検出し、前記検出した荷重が前記荷重パターンと一致するときに警告信号を前記制御装置に出力する荷重センサ制御部を有し、
前記制御装置は、前記警告信号が入力すると前記警告を行う、
請求項１に記載の乗客コンベア。
【請求項３】
前記制御装置は、
前記警告後に前記荷重センサが前記荷重を継続して検出した場合に、前記乗客コンベアの停止、又は、前記駆動速度を落とす、
請求項２に記載の乗客コンベア。
【請求項４】
前記乗客コンベアがエスカレータであり、
前記荷重検出装置は、前記外デッキの下階勾配変化部及び勾配部にそれぞれ設ける、
請求項１乃至３のいずれか一項に記載の乗客コンベア。
【請求項５】
前記荷重検出装置は、前記外デッキに複数取り付け、前記警告信号と共に前記荷重センサの取り付け位置に対応した位置信号も同時に出力し、
前記制御手段は、前記位置信号に対応した警告を行う、
請求項２又は３に記載の乗客コンベア。
【手続補正２】
【補正対象書類名】明細書
【補正対象項目名】０００８
【補正方法】変更
【補正の内容】
【０００８】
本発明の実施形態は、左右一対の欄干と、前記欄干の外側に沿って設けられた外デッキと、前記外デッキに加わった荷重を検出する荷重検出装置と、前記荷重検出装置が検出した荷重が、予め定めた荷重パターンと一致したときに予め定めた警告を行う制御装置と、を有し、前記荷重検出装置は、前記外デッキの内側に設けられた荷重センサと、前記外デッキの上面パネル下部に設けられ、前記上面パネルに加わる前記荷重を前記荷重センサに伝達する荷重伝達部材と、を有する乗客コンベアである。